(57)【要約】【課題】手摺りの取り付け、取り外しを容易に行えるようにした手摺り支持具を提供することである。【解決手段】壁面にねじ止めされる固定座に回転自在に支持された締付リング４の内周に係合片１１を形成し、手摺りを支持するブラケット６の基端側に設けた取付座５の外周に、締付リング４内へ挿入される案内片１４を形成し、締付リング４を回転させて係合片１１と案内片１４との係合あるいはその解除を行うことによりブラケット６を着脱できるようにして、手摺りの取り付け、取り外しの容易化を図るとともに、締付リング４および取付座５を覆うカバー７の内面に係合片１１の締付方向と反対側の端面に対向する突片１７、１８を設けて、締付リング４の回り止めとすることにより、安定した強固な取付状態が得られるようにしたのである。【選択図】図４
2005282258.tif 000002
【特許請求の範囲】
【請求項１】
壁面にねじ止めされる固定座と、この固定座に一端部を回転自在に支持される締付リングと、基端側に前記締付リングの他端側に組み付けられる取付座を有し、先端部で手摺りを支持するブラケットと、前記締付リングおよび取付座を覆うカバーとから成り、前記締付リングの他端側内周に複数の係合片を形成し、前記取付座の外周に、前記各係合片の周方向隙間から締付リング内へ挿入され、締付リングの締付方向の回転により各係合片とそれぞれ係合する複数の案内片を設け、前記係合片と案内片の対向面の少なくとも一方に、前記締付リングの締付方向の回転により取付座を固定座側に引き寄せる傾斜カム面を形成し、前記カバーの内面には、前記案内片と係合した係合片の締付方向と反対側の端面に対向する突片を設けた手摺り支持具。
【発明の詳細な説明】
【技術分野】
【０００１】
この発明は、廊下や階段等の通路に沿って取り付けられる手摺りの支持具に関する。
【背景技術】
【０００２】
廊下や階段等の通路に沿って丸棒やパイプ等から成る棒状の手摺りを取り付ける場合には、通常、通路の壁面に複数のブラケットをねじの締め付けにより取り付け、これらのブラケットによって手摺りを支持するようにしている。
【０００３】
ところで、上記手摺りは、壁面から通路側に突出するように取り付けられて通路幅を狭くするため、家具等の荷物を運ぶ際に邪魔になって取り外しを必要とする場合がある。このような場合、従来では、ブラケットを壁面に固定するねじ、あるいはブラケットに手摺りを固定するねじを抜き取って手摺りを取り除き、荷物の運搬後に、再度ねじを締め付けて手摺りを取り付けるようにしているため、非常に手間がかかっていた。
【発明の開示】
【発明が解決しようとする課題】
【０００４】
この発明の課題は、手摺りの取り付け、取り外しを容易に行えるようにした手摺り支持具を提供することである。
【課題を解決するための手段】
【０００５】
上記の課題を解決するため、この発明の手摺り支持具は、壁面にねじ止めされる固定座と、この固定座に一端部を回転自在に支持される締付リングと、基端側に前記締付リングの他端側に組み付けられる取付座を有し、先端部で手摺りを支持するブラケットと、前記締付リングおよび取付座を覆うカバーとから成り、前記締付リングの他端側内周に複数の係合片を形成し、前記取付座の外周に、前記各係合片の周方向隙間から締付リング内へ挿入され、締付リングの締付方向の回転により各係合片とそれぞれ係合する複数の案内片を設け、前記係合片と案内片の対向面の少なくとも一方に、前記締付リングの締付方向の回転により取付座を固定座側に引き寄せる傾斜カム面を形成し、前記カバーの内面には、前記案内片と係合した係合片の締付方向と反対側の端面に対向する突片を設けた構成としたのである。
【０００６】
すなわち、この手摺り支持具を壁面に取り付けるときは、締付リングの一端部を回転自在に支持した固定座を壁面にねじ止めして、締付リングの他端側からブラケットの取付座を挿入し、締付リングを締付方向に回転させてその係合片を取付座の案内片と係合させることにより、ブラケットを固定座に取り付けるようにしたのである。このとき、ブラケットは、係合片と案内片の対向面の少なくとも一方に形成された傾斜カム面によって取付座を固定座側に引き寄せられるため、ガタつきなく固定座に取り付けられる。一方、支持具を取り外す際は、締付リングを締付方向と反対の方向に回転させて、各係合片の周方向隙間を案内片の位置に一致させた後、ブラケットを通路側に引いて締付リングから取付座を引き抜くようにする。これにより、手摺りの取り付け、取り外しが簡単に行える。
【０００７】
また、カバーで締付リングおよび取付座を覆ったときに、カバー内面の突片を係合片の締付方向と反対側の端面に対向させて締付リングの回り止めとすることにより、締付リングが意図せずに弛むことがないようにしたのである。
【発明の効果】
【０００８】
この発明は、上述したように、壁面にねじ止めされた固定座に支持されている締付リングを回転させることにより、固定座に対してブラケットを着脱することができるので、手摺りの取り付け、取り外しを簡単に行える。従って、特に、荷物の運搬等のために手摺りを一時的に取り外すようなときには、手摺り取付用のねじを抜き取って再度締め付ける手間が省け、効率よく作業を行うことができる。
【０００９】
また、カバー内面の突片で締付リングを回り止めしたので、カバー取付後は締付リングが弛んでブラケットの取付座と固定座との間にガタが生じるようなことがなく、安定した強固な取付状態を得ることができる。
【発明を実施するための最良の形態】
【００１０】
以下、図１乃至図６に基づき、この発明の実施形態を説明する。図１は、丸棒状の手摺りＡを、実施形態の手摺り支持具１で支持して通路の壁面Ｗに取り付けた状態を示す。
【００１１】
図２および図３に示すように、この手摺り支持具１は、壁面Ｗにねじ止めされる固定座２と、この固定座２の中心に通される位置決めねじ３と、固定座２に回転自在に支持される締付リング４と、締付リング４内に挿入される取付座５を基端側に有するブラケット６と、締付リング４および取付座５を覆うカバー７とから成る。
【００１２】
前記固定座２は、円形をなし、その中心に位置決めねじ３の円筒部３ａが嵌め込まれる貫通孔２ａが設けられ、貫通孔２ａの周囲には３つのねじ挿入孔２ｂが設けられている。また、一側端には脚部９が形成されており、この脚部９が各ねじ挿入孔２ｂに挿入されたねじ８の締め付けにより壁面Ｗに圧接される。
【００１３】
前記位置決めねじ３は、固定座２の貫通孔２ａに摺動自在に嵌まり込む円筒部３ａと、すり割りが形成された頭部３ｂとを有しており、壁面Ｗにねじ込まれて、円筒部３ａに嵌め込まれた固定座２を回転自在に支持するものである。また、その円筒部３ａは頭部３ｂよりも大径に形成されており、後述する方法でブラケット６の取付座５を固定座２に取り付けたときに、円筒部３ａの頭部側端面に取付座５が当接するようになっている。
【００１４】
前記締付リング４は、一端側内周に抜け止めフランジ１０を有し、他端側内周の相対する位置に一対の係合片１１が形成されており、抜け止めフランジ１０の内周に固定座２の脚部９を嵌め込まれて、手摺りＡ側への軸方向移動が規制された状態で固定座２に回転自在に支持されている。なお、その回転角度は、フランジ１０内周の突起１０ａが固定座２の脚部９に形成された切欠き９ａの周方向端面に当接することにより規制される。
【００１５】
前記ブラケット６は、図１に示したように、取付座５から延びる腕部１２がＬ字状に形成されて、その先端に手摺りＡを支持する受座１３が設けられており、受座１３上に載置した手摺りＡを受座１３の下方からねじ込まれるねじ（図示省略）で固定するようになっている。
【００１６】
取付座５は、図２乃至図４に示すように、円形で、締付リング４内に挿入されて、締付リング４を支持する固定座２と対向する。固定座２と対向する面には、固定座２が嵌まり込む凹部が設けられている。
【００１７】
また、取付座５の固定座２中心の貫通孔２ａと対応する位置、および固定座２のねじ挿入孔２ｂと対応する位置には、ドライバ挿入孔５ａ、５ｂがそれぞれ設けられている。従って、取付座５を固定座２に取り付けた状態で、ドライバを各ドライバ挿入孔５ａ、５ｂに挿入して、固定座２を支持する位置決めねじ３を進退させたり、固定座２を固定するねじ８の締め込みや抜き取りを行うことができる。
【００１８】
さらに、取付座５外周の相対する位置には、図３および図４に示すように、取付座５の締付リング４への挿入時に各係合片１１の周方向隙間を通るように形成された一対の案内片１４が設けられている。この案内片１４は、取付座５の周方向に延びる案内部１４ａと、軸方向に延びるストッパ部１４ｂとから成り、案内部１４ａの一側面には、周方向中央部からストッパ部１４ｂと反対側の周端にかけて案内部１４ａを徐々に薄くする傾斜カム面１５が形成されている。
【００１９】
従って、図４および図５に示すように、固定座２に支持された締付リング４を取付座５を挿入した状態で締付方向に回転させ、係合片１１を傾斜カム面１５の先端側から取付座５の案内片１４に係合させていくと、係合片１１が案内片１４の案内部１４ａに沿って移動するときに傾斜カム面１５を押圧するため、取付座５が固定座２側に引き寄せられ、その中心のドライバ挿入孔５ａの周縁部を位置決めねじ３の円筒部３ａに押し付けられて、ブラケット６がガタつきなく固定座２に取り付けられる。
【００２０】
前記カバー７は、図２乃至図４に示したように、締付リング４外周に嵌合する筒部とその一端を塞ぐ蓋部とから成り、ブラケット６の腕部１２が挿入される切欠き７ａを有している。また、筒部内周には３箇所に突起１６が、蓋部内面には周方向に延びる２つの突片１７、１８がそれぞれ設けられている。そして、筒部を締付リング４外周に押し込むと、図４および図６に示すように、各突起１６が締付リング４の外周に形成された段差部４ａに係合して、カバー７を取付状態に保持するとともに、各突片１７、１８がそれぞれ各係合片１１の締付方向と反対側の端面に対向し、かつブラケット６の腕部１２や取付座５のストッパ部１４ｂと干渉しない位置に挿入されて、締付リング４の回り止めとなる。
【００２１】
次に、この手摺り支持具１を用いて手摺りＡを壁面Ｗに取り付ける手順について説明する。手摺りＡの取り付けに際しては、最初に、手摺りＡの支持に必要な個数の手摺り支持具１を所定の間隔で壁面Ｗに取り付ける。
【００２２】
手摺り支持具１の取付方法は、まず、位置決めねじ３を壁面Ｗの固定座２取付位置の中心にねじ込む。そして、締付リング４を固定座２に組み付けるとともに、ブラケット６の取付座５を締付リング４内に挿入し、前述のように、締付リング４を締付方向に回転させてブラケット６を固定座２に取り付ける。その後、固定座２を位置決めねじ３の円筒部３ａに嵌め込み、位置決めねじ３のまわりに回転させて取付角度の調整を行う。このとき、固定座２は、その中心が取付目標位置に一致した状態で回転するので、後になって取付位置の手直しが必要となることがない。
【００２３】
この角度調整がすめば、ねじ８を取付座５のドライバ挿入孔５ｂから固定座２のねじ挿入孔２ｂに挿入し、壁面Ｗにねじ込んで、固定座２を壁面Ｗに固定する。最後に、カバー７を締付リング４外周に嵌め込んで、その蓋部内面の突片１７、１８で締付リング４の回り止めを行うとともに、締付リング４および取付座５を覆う。
【００２４】
そして、上記の方法で全ての手摺り支持具１を壁面Ｗに取り付けた後、手摺りＡを各支持具１のブラケット６の受座１３に載せてねじ止めする。このときには、締付リング４が回り止めされているので、ねじ止め作業等を行っても、締付リング４が弛んで取付座５と位置決めねじ円筒部３ａとの間にガタが生じたりすることがなく、安定した強固な取付状態が得られる。
【００２５】
一方、手摺りＡを取り外すときには、手摺りＡを各支持具１のブラケット６にねじ止めしたまま、各締付リング４を締付方向と反対の方向に回転させて、各係合片１１の周方向隙間を取付座５の案内片１４の位置に一致させた後、ブラケット６を通路側に引いて締付リング４から取付座５を引き抜き、手摺りＡと各ブラケット６とを一体に取り外すようにすればよい。このようにして取り外した手摺りＡは、取外時と逆の手順で再び簡単に取り付けることができる。
【図面の簡単な説明】
【００２６】
【図１】実施形態の手摺り支持具により手摺りを壁面に取り付けた状態の側面図
【図２】図１の手摺り支持具の壁面への取付部の縦断側面図
【図３】同上の手摺り支持具の分解斜視図
【図４】図２のIV−IV線に沿った断面図
【図５】図４のＶ−Ｖ線に沿った断面図
【図６】図４のVI−VI線に沿った断面図
【符号の説明】
【００２７】
１  手摺り支持具
２  固定座
２ａ  貫通孔
３  位置決めねじ
３ａ  円筒部
３ｂ  頭部
４  締付リング
５  取付座
６  ブラケット
７  カバー
１１  係合片
１４  案内片
１４ａ  案内部
１４ｂ  ストッパ部
１５  傾斜カム面
１７、１８  突片
Ａ  手摺り
Ｗ  壁面
【図１】
2005282258.tif 000003
【図２】
2005282258.tif 000004
【図３】
2005282258.tif 000005
【図４】
2005282258.tif 000006
【図５】
2005282258.tif 000007
【図６】
2005282258.tif 000008